(57)【要約】【課題】比較的安価で、かつ効果的に自然光を建物内等に取り込むことができ、かつ、必要な強度を十分に確保することができる床材、壁材、もしくは天井材用板状体を提供する。【解決手段】床材、壁材、もしくは天井材として用いられる板状体である、床材、壁材、もしくは天井材用板状体に、採光用の複数の貫通穴２を設け、該貫通穴２の内周面に鏡面板２２を設ける。また、該貫通穴２の一方の開口面にガラスブロック２１がはめこまれている。【選択図】図１
0003128872.tif 000002
【実用新案登録請求の範囲】
【請求項１】
床材、壁材、もしくは天井材として用いられる板状体であって、
上記板状体には、採光用の複数の貫通穴が設けられ、該貫通穴の内周面は鏡面に形成されている
ことを特徴とする床材、壁材、もしくは天井材用板状体。
【請求項２】
上記板状体の貫通穴の一方の開口面にガラスがはめこまれている
ことを特徴とする請求項１に記載の床材、壁材、もしくは天井材用板状体。
【請求項３】
上記板状体はコンクリート製であり、上記複数の貫通穴の一方の開口面の面積は、板状体の面積の２０％未満である
ことを特徴とする請求項１または請求項２に記載の床材、壁材、もしくは天井材用板状体。
【考案の詳細な説明】
【技術分野】
【０００１】
本考案は、床材、壁材、もしくは天井材用板状体に関し、特に、比較的安価で、かつ効果的に自然光を建物内等に取り込むことができ、かつ、必要な強度を十分に確保することができる床材、壁材、もしくは天井材用板状体に関する。
【背景技術】
【０００２】
自然光を効果的に建物内に取り込むための装置としては、従来から例えば光ダクトが知られている。光ダクトは、自然光を建物内に導入して、自然光が届かない部屋などを照明することは可能であるが、建物内でダクトを配管する必要があり、設備も比較的大掛かりとなる。
一方、光を透過させることが可能な壁や床構造としては、従来からガラスブロックなどで構成されたものが知られている。例えば、下記の特許文献１には、開閉機能を有するガラスブロック結合体が配列されたガラスブロック壁に関して記載されている。また、下記の特許文献２には、透光性を有するガラスブロック床を備える床構造に関して記載されている。
また、近年では、コンクリートに光ファイバを埋設し、光透過性の機能を付加した建物に用いられる構造体が提案されている（例えば、下記の特許文献３参照）。
【特許文献１】特開２００４−１４３７０６号公報
【特許文献２】特開２００５−８３０９８号公報
【特許文献３】特開２００６−２２４３４９号公報
【考案の開示】
【考案が解決しようとする課題】
【０００３】
上記特許文献１に記載された技術、特許文献２に記載された技術のように、壁、床などをガラスブロックなどの光透過性部材で構成すれば、建物内に光を取り込むことが可能であるが、ガラスブロックは安価ではなく、ガラスブロックで壁、床などを構成すると建築コストが増加する。また、ガラスブロックなどで壁、床などを構成する場合、それだけでは十分な強度を得ることができず、強度を補うための何らかの方策が必要である。
また、上記特許文献３に記載された、コンクリートに光ファイバを埋設した構造体では、透過できる光量は小さく、照明には利用できず、また比較的高価である。
本考案は、比較的安価で、かつ効果的に自然光を建物内等に取り込むことができ、かつ、必要な強度を十分に確保することができる床材、壁材、もしくは天井材用板状体の提供を目的とする。
【課題を解決するための手段】
【０００４】
上記課題を解決するため、本考案においては、次のようにして前記課題を解決する。
（１）床材、壁材、もしくは天井材として用いられる板状体である床材、壁材、もしくは天井材用板状体を設ける。そして、上記板状体には、採光用の複数の貫通穴が設けられ、該貫通穴の内周面は鏡面に形成されている。
（２）上記板状体の貫通穴の一方の開口面にガラスがはめこまれている。
（３）上記板状体はコンクリート製であり、上記複数の貫通穴の一方の開口面の面積は、板状体の面積の２０％未満である。
【考案の効果】
【０００５】
本考案においては、以下の効果を得ることができる。
（１）本考案の床材、壁材、もしくは天井材用板状体は、採光用の複数の貫通穴が設けられ、該貫通穴の内周面は鏡面に形成されている。例えば、上記貫通穴から取り込まれた自然光は、該貫通穴の内周面の鏡面に反射して該貫通穴の開口面から出射し、建物内に導入される。従って、本考案によれば、効果的に自然光を建物内に取り込むことができる。
（２）本考案の床材、壁材、もしくは天井材用板状体の貫通穴の一方の開口面にガラスがはめこまれている。従って、本考案を天井材又は床材として用いる場合、例えば該天井材又は床材の上を歩行する歩行者が貫通穴に落下することを防止することができる。また、本考案を建物の壁材として用いる場合、例えば屋外において雨等が降っている状況においても、該貫通穴にはめこまれたガラスが上記雨等を遮断することによって、該建物内に雨等が降り込むことを防止することができる。
（３）本考案の床材、壁材、もしくは天井材用板状体はコンクリート製であり、複数の貫通穴の一方の開口面の面積は、板状体の面積の２０％未満である。従って、本考案によれば、比較的安価で、かつ効果的に自然光を建物内に取り込むことができ、かつ、必要な強度を十分に確保することができる床材、壁材、もしくは天井材用板状体を提供可能である。
【考案を実施するための最良の形態】
【０００６】
図１は本考案の床材、壁材、もしくは天井材用板状体の構造の一例を示す図である。図１（Ａ）は、本考案の床材、壁材、もしくは天井材用板状体の平面図である。本考案の床材、壁材、もしくは天井材用板状体は、板１と、板１に設けられた複数の貫通穴２を備える。
【０００７】
板１は、例えば、コンクリート、ＰＣ板（プレキャストコンクリート）、木材、その他集成材等の構造材であり、床板、壁板、もしくは天井板として用いられる。板１は、構造体の床、壁、もしくは天井を形成する材料であれば、任意の材料とすることができる。貫通穴２は、自然光を採光する穴である。図１（Ａ）中に示す貫通穴２は、円形状を有しているが、貫通穴２は、矩形等任意の形状であってもよい。図１（Ａ）において、自然光を採光する貫通穴２の開口面の面積は、例えば複数の貫通穴２全体で、本考案の床材、壁材、もしくは天井材用板状体の面積の２０％未満である。本考案の一実施形態によれば、各々の貫通穴２の該開口面の面積は、例えば０．２５ｍ2 以下である。
【０００８】
図１（Ｂ）は、図１（Ａ）に示す床材、壁材、もしくは天井材用板状体のＡ−Ａ線断面図である。図１（Ｂ）中に示す板１の厚さは、例えば１０ｃｍ以上である。貫通穴２の一方の開口面（図１（Ｂ）に示す例では、貫通穴２の上端部の、光が入射する側の開口面）に、ガラス製のガラスブロック２１がはめこまれている。該ガラスブロック２１は、例えば、入射する自然光を透過して、貫通穴２内に導入するとともに、板１の上を歩行する歩行者が貫通穴２に落下することを防止する。また、貫通穴２の内周面には、例えば円錐台形状の鏡面板２２が設けられている。鏡面板２２は、貫通穴２に導入された自然光を反射して、貫通穴２の光出射側の開口面（図１（Ｂ）に示す例では、貫通穴２の下端部の開口面）から自然光を出射する。
【０００９】
図１（Ｃ）は、本考案の床材、壁材、もしくは天井用板状体が備える貫通穴の鏡面板の拡大斜視図の例である。図１（Ｃ）に示すように、鏡面板２２は円錐台形状をしており、鏡面筒２３を構成している。図１（Ｃ）に示す鏡面板２２により形成される鏡面筒２３を、図１（Ｂ）に示す貫通穴にはめこんでもよいが、鏡面板２２を直接貫通穴にはめこんでもよい。
【００１０】
図２は、貫通穴の例を示す図である。本考案の床材、壁材、もしくは天井材用板状体が備える貫通穴２は、例えば図２（Ａ）に示すように、光入射側の開口面の面積より光出射側の開口面の面積が小さい円錐台形状であってもよいし、図２（Ｂ）に示すように、光入射側の開口面の面積より光出射側の開口面の面積が大きい円錐台形状であってもよいし、図２（Ｃ）に示すように、光入射側の開口面の面積が光出射側の開口面の面積と等しい円筒形状であってもよい。
【００１１】
図２（Ａ）に示すような、光入射側の開口面の面積より光出射側の開口面の面積が小さい円錐台形状の貫通穴２によれば、貫通穴２に設けられた鏡面板２２が貫通穴２から抜け落ちることを防止することができる。また、図２（Ｂ）に示すような、光入射側の開口面の面積より光出射側の開口面の面積が大きい円錐台形状の貫通穴２によれば、例えば自然光の出射先にある空間（例えば、建物内部や地下空間等）のより広範囲な領域に対して自然光を導入することができる。
【００１２】
図３は、本考案の床材、壁材、もしくは天井材用板状体の、床材への適用例を示す図である。この例では、本考案の床材、壁材、もしくは天井材用板状体は、広場等の地上空間９と地下空間１０との間に設けられた床材として用いられる。図３中、１−１は地上空間９の地表面、１−２は地下空間１０の天井面、３は地下空間１０の床面、４は地下空間１０の床面３に設けられた植え込み、５−１は地表面１−１を歩行する歩行者、５−２、５−３は地下空間１０の床面３を歩行する歩行者である。
【００１３】
図３に示す本考案の床材、壁材、もしくは天井材用板状体は、貫通穴２の光入射側（地表面１−１側）の開口面から自然光を取り込む。貫通穴２に設けられた鏡面板２２が該自然光を反射することによって、該自然光が、該貫通穴２の光出射側（天井面１−２側）の開口面を通じて地下空間１０に導入され、床面３や床面３に設けられた植え込み４を照らす。本考案の床材、壁材、もしくは天井材用板状体が備える貫通穴２の光入射側の開口面にはガラスブロック２１がはめこまれているため、地表面１−１を歩行する歩行者５−１が貫通穴２に落下することを防止することができる。また、図３中に示す貫通穴２は、光入射側の開口面の面積より光出射側の開口面の面積が小さい円錐台形状を有している。従って、該貫通穴２によれば、貫通穴２に設けられた鏡面板２２が貫通穴２から抜け落ちることを防止することができる。
【００１４】
図４は、本考案の床材、壁材、もしくは天井材用板状体の、壁材への適用例を示す図である。この例では、本考案の床材、壁材、もしくは天井材用板状体は、建物の内部１１と屋外１２との間に設けられた壁材として用いられる。図４中、１１−１は建物の天井面、１１−２は建物の床面、５−４、５−５は床面１１−２を歩行する歩行者である。
【００１５】
図４に示す本考案の床材、壁材、もしくは天井材用板状体は、貫通穴２の光入射側（屋外１２側）の開口面から自然光を取り込む。貫通穴２に設けられた鏡面板２２が該自然光を反射することによって、該自然光が、該貫通穴２の光出射側（建物の内部１１側）の開口面を通じて建物の内部１１に導入され、床面１１−２を照らす。貫通穴２の光入射側の開口面にはガラスブロック２１がはめこまれているため、例えば屋外１２において雨等が降っている状況においても、建物の内部１１に雨等が降り込むことを防止することができる。また、図４中に示す貫通穴２は、光入射側の開口面の面積より光出射側の開口面の面積が大きい円錐台形状を有している。従って、該貫通穴２によれば、建物の内部１１のより広範囲な領域に対して自然光を導入することができる。
【図面の簡単な説明】
【００１６】
【図１】本考案の床材、壁材、もしくは天井材用板状体の構造の一例を示す図である。
【図２】貫通穴の例を示す図である。
【図３】本考案の床材、壁材、もしくは天井材用板状体の、床材への適用例を示す図である。
【図４】本考案の床材、壁材、もしくは天井材用板状体の、壁材への適用例を示す図である。
【符号の説明】
【００１７】
１  板
１−１  地表面
１−２、１１−１  天井面
２  貫通穴
３、１１−２  床面
４  植え込み
５−１、５−２、５−３、５−４、５−５  歩行者
９  地上空間
１０  地下空間
１１  建物の内部
１２  屋外
２１  ガラスブロック
２２  鏡面板
２３  鏡面筒
【図１】
0003128872.tif 000003
【図２】
0003128872.tif 000004
【図３】
0003128872.tif 000005
【図４】
0003128872.tif 000006